(57)【要約】【課題】  活魚類や甲殻類等に、より多くの酸素を吸収させて、生存時間を延ばすことができる活魚類や甲殻類等の加圧処理装置及びその加圧処理方法を提供する。【解決手段】  加圧タンク３と、この加圧タンク３に連通し圧縮空気を圧送する空気圧縮装置４と、空気圧縮装置４からの圧縮空気を加湿させる加湿装置５と、加圧タンク３の底部に設けたノズル７に対向して水平方向に延びる差圧板１６とを備えているので、加圧タンク３内に、加湿されつつ圧送された圧縮空気は、差圧板１６の微細な穴を通過して、クルマエビが置かれている空間全域に均等に流れ、該空間内が所定の圧力及び湿度で加圧及び加湿された環境下となる。この環境を所定時間持続させることにより、クルマエビは、その体表が乾くことなく、体内に十分な酸素が供給されて生存時間が延び、鮮度を長時間保持させることができる。【選択図】        図１
2005261340.tif 000002
【特許請求の範囲】
【請求項１】
活魚類や甲殻類等を搬入もしくは搬出するための搬出入口を有する加圧タンクと、該加圧タンクと連通し前記加圧タンク内に圧縮空気を圧送する空気圧縮装置と、前記加圧タンクと連通し前記加圧タンク内へ圧送される圧縮空気を加湿する加湿装置とを備えることを特徴とする活魚類や甲殻類等の加圧処理装置。
【請求項２】
前記空気圧縮装置が連通する前記加圧タンク内の底部に、前記加圧タンク内に搬入された活魚類や甲殻類に、均等に圧縮空気を送る空気循環手段を配設することを特徴とする請求項１に記載の活魚類や甲殻類等の加圧処理装置。
【請求項３】
無水状態の加圧タンク内に活魚類や甲殻類等を搬入し、前記加圧タンク内に圧縮空気を加湿しながら圧送し、前記加圧タンク内を、所定の圧力及び湿度に設定すると共に、その加圧及び加湿状態を所定時間維持した後、脱気して、活魚類や甲殻類等を搬出することを特徴とする活魚類や甲殻類等の加圧処理方法。
【請求項４】
水揚げされた活魚類や甲殻類等を、適応環境で生かして輸送し、輸送先において、加圧タンクに搬入して、所定の圧力及び湿度の環境下で所定時間加圧処理を施すことを特徴とする活魚類や甲殻類等の加圧処理方法。
【発明の詳細な説明】
【技術分野】
【０００１】
本発明は、水揚げされた活魚類や甲殻類等において、活きが良い状態、すなわち、水揚げされた後の生存期間を延ばし新鮮な状態を長時間保持する加圧処理装置及び加圧処理方法に関するものである。
【背景技術】
【０００２】
近年、高級魚、高鮮度魚の志向が高まり、消費市場において活魚及び活け締め魚が高値で取引されている。高値の原因は活魚輸送船や活魚運送車の利用に経費が掛かることや、また、活魚の活け締め作業も水揚げ産地より遠い大消費地までの消費者の需要に合わせるため、早朝作業になる場合があり人件費が嵩むことになる。
【０００３】
一般に、活魚類は、魚体の約１０倍の量の水の中に活きた状態でエアレーションしながら輸送されており、輸送コストが高くなる。また大量に輸送する場合には、中継地での時間ロスもあり、更に輸送時間が長くなり輸送コストが高くなってしまう。
また、甲殻類である養殖のクルマエビの場合には、箱状の容器に、おが屑を敷き詰めて活きたクルマエビを入れ、さらにこの容器を２列×３段に重ねてダンボール箱に入れて、ダンボール箱内に氷を入れて１０℃〜１５℃の温度に維持して活力を保持し、無水状態で輸送するようにしている。この方法であれば、軽量で消費者に直接配達することが可能となるが、遠く離れた消費地に輸送する場合には、必然的に輸送時間が長くなるために、輸送中にクルマエビが疲労して活力の低下を招き、回復するには相当期間（１日〜３日間）の静養が必要で、最悪の場合にはへい死の状態となり、へい死率が増大することになる。
特に甲殻類の場合は、水揚げされたエビ類を、一度冷水で冷やして動きを緩慢にし、上述したように、おが屑と共に箱詰めして出荷する方法が採用されているが、夏場は養殖場の水温が２８℃以上となり高く、冷水で冷やす過程でストレスからくる疲労が増し活力が低下して、へい死率が増大することになる。そこで、へい死率は、夏場で平均１２％程度になり、冬場でも平均３％程度になる。
【０００４】
また、冷凍運搬による凍結魚は解凍するため解凍魚になり、市場では生鮮魚としての価値がなくなる。また、鮮度を保持するための従来技術として、針麻酔による技術が普及しているが、大量処理できない上に、少量ではあるが水を必要とする処に限界がある。
【０００５】
さらに、鮮度を保持するための従来技術として特許文献１には、活魚類、甲殻類を水の無い状態で、空気または酸素ガスを封入した密閉容器に収納し、当該密閉容器に収納した活魚類、甲殻類を当該容器外部または内部より圧力をかけた状態で、かつ低温帯下に保持して、活魚類、甲殻類を生きたまま長時間保存することが開示されている。
【０００６】
【特許文献１】特許第３１７７０３２号公報
【発明の開示】
【発明が解決しようとする課題】
【０００７】
上述したように、活魚類を水揚げ産地から消費地へ輸送する場合には、多量の水と共に輸送されるために輸送コストが高くなると共に、遠く離れた消費地に輸送する場合には、必然的に輸送時間が長くなるため、活魚類は、疲労して活力を失い、へい死の状態となる確率が高くなる。すなわち、活魚類は漁獲時の激しい運動や輸送におけるストレスで、魚の筋肉及び血液中に乳酸量が高まり活力が低下して疲労状態になり、疲労すると筋肉中のＡＴＰ（アデノシン三リン酸）量が減少し、乳酸量は高めの状態となる。そのまま時間が経過すると疲労が増し活力が低下して、鮮度が落ちてしまうと共に、へい死率が増大する問題があった。
甲殻類においても同様で、輸送に時間がかかると疲労して鮮度が低下し、さらに時間が経過するとへい死率が増大していまい、低温を維持しつつ輸送時間を短縮する必要があった。
【０００８】
また、鮮度を保持するための技術として特許文献１には、無水状態の容器内に活魚類、甲殻類を入れ、容器内を加圧すると共に、低温帯下に保持することにより、生存時間を延ばすことが開示されているが、無水状態であるために、活魚類や甲殻類の体表が乾いてしまい、より多くの酸素を吸収させることが困難となる虞がある。
【０００９】
本発明は、かかる点に鑑みてなされたものであり、活魚類や甲殻類等に、より多くの空気を吸収させて疲労（活力）を回復させ、生存時間を延ばすことができる活魚類や甲殻類等の加圧処理装置及びその加圧処理方法を提供することを目的とする。
【課題を解決するための手段】
【００１０】
本発明は、上記課題を解決するための手段として、請求項１に記載した活魚類や甲殻類等の加圧処理装置の発明は、活魚類や甲殻類等を搬入もしくは搬出するための搬出入口を有する加圧タンクと、該加圧タンクと連通し前記加圧タンク内に圧縮空気を圧送する空気圧縮装置と、前記加圧タンクと連通し前記加圧タンク内へ圧送される圧縮空気を加湿する加湿装置とを備えることを特徴とするものである。
このように構成することにより、活魚類や甲殻類等が搬入される加圧タンク内には、加湿された圧縮空気が圧送され、加圧タンク内は、加湿及び加圧された環境下となる。
【００１１】
請求項２に記載した活魚類や甲殻類等の加圧処理装置の発明は、請求項１に記載した発明において、前記空気圧縮装置が連通する前記加圧タンク内の底部に、前記加圧タンク内に搬入された活魚類や甲殻類に、均等に圧縮空気を送る空気循環手段を配設することを特徴とするものである。
このように構成することにより、加湿されつつ加圧タンク内に圧送された圧縮空気は、箱詰めされたほぼ全ての活魚類や甲殻類等に均等に流れるようになる。
【００１２】
請求項３に記載した活魚類や甲殻類等の加圧処理方法の発明は、無水状態の加圧タンク内に活魚類や甲殻類等を搬入し、前記加圧タンク内に圧縮空気を加湿しながら圧送し、前記加圧タンク内を、所定の圧力及び湿度に設定すると共に、その加圧及び加湿状態を所定時間維持した後、脱気して、活魚類や甲殻類等を搬出することを特徴とするものである。
このような方法を採用することにより、加圧タンク内に搬入された活魚類や甲殻類等は、加圧されるために通常より多くの酸素を取り込み、さらに加圧タンク内は加湿されているために活魚類や甲殻類等のえらや体皮が乾かなくなり、酸素の吸収がさらに促進される。
【００１３】
請求項４に記載した活魚類や甲殻類等の加圧処理方法の発明は、水揚げされた活魚類や甲殻類等を、適応環境で生かして輸送し、輸送先において、加圧タンクに搬入して、所定の圧力及び湿度の環境下で所定時間加圧処理を施すことを特徴とするものである。
このような方法を採用することにより、輸送中に疲労した活魚類や甲殻類等の活力を回復させる。
【発明の効果】
【００１４】
請求項１に記載した活魚類や甲殻類等の加圧処理装置の発明によれば、活魚類や甲殻類等が搬入される加圧タンク内には、加湿された圧縮空気が圧送され、加圧タンク内は所定の湿度及び圧力に維持されるので、加圧タンク内の、加圧され湿度の高い雰囲気では、活魚類や甲殻類等はえらや体表から酸素をより多く取り込むことができ、一定時間その環境を維持することで筋肉細胞に多くの酸素を保持することができる。これにより、活魚類や甲殻類等の生存時間が延ばされ、鮮度を長時間保持させることができるので、活きの良い活魚類や甲殻類等を遠距離の消費地まで輸送でき、活きの良い状態のまま消費者に提供することができる。
【００１５】
請求項２に記載した活魚類や甲殻類等の加圧処理装置の発明によれば、空気循環手段によって、箱詰めされた活魚類や甲殻類等に、均等に加湿された圧縮空気が圧送されるので、箱詰めされた活魚類や甲殻類等のほぼ全てに、より多くの酸素を吸収させることができる。
【００１６】
請求項３に記載した活魚類や甲殻類等の加圧処理方法の発明によれば、活魚類や甲殻類等は、加圧及び加湿状態の環境下にあるため、えらや体皮が乾かなくなり酸素の吸収が促進されるので、活魚類や甲殻類等には通常より多くの酸素が取り込まれて、生存時間が延び、活きの良い活魚類や甲殻類等を消費者に提供することができる。
【００１７】
請求項４に記載した活魚類や甲殻類等の加圧処理方法の発明によれば、活魚類や甲殻類等を、輸送先において、加圧タンクに搬入し、所定の圧力及び湿度の環境下で所定時間加圧処理を施すので、輸送中に疲労した活魚類や甲殻類等の活力を回復させることができ、活きの良い活魚類や甲殻類等を消費者に提供することができる。
【発明を実施するための最良の形態】
【００１８】
以下、本発明を実施するための最良の形態を図１〜図３に基いて詳細に説明する。
水揚げされた甲殻類（本実施の形態では以下クルマエビという）は、図３に示す箱２０に数匹ずつ詰められて輸送される方法が採られており、クルマエビは、箱本体２１の底板上に敷かれたネット２２上におが屑と共に入れられて蓋２３で閉塞される。また、箱本体２１の底板及び蓋２３には、通気性を良くするための穴２４が所定の間隔をおいて複数開けられている。そこで、ネット２２は、箱本体２１の底板に設けた穴２４からおが屑がこぼれないように、箱本体２１の底板の上に敷くもので、通気性を有するものである。
このように箱詰めされたクルマエビは、輸送前に後述する本発明の実施の形態に係る加圧処理装置において加圧処理された後、消費地に輸送されることになる。
【００１９】
本発明の実施の形態に係る活魚類や甲殻類等の加圧処理装置１は、図１に示すように、箱詰めされたクルマエビの搬出入口を開閉するハッチ２を備えた加圧タンク３と、この加圧タンク３に連通し加圧タンク３内に圧縮空気を圧送する空気圧縮装置４と、加圧タンク３と空気圧縮装置４との間に介装され、空気圧縮装置４からの圧縮空気を加湿する加湿装置５とを備えている。
【００２０】
加圧タンク３は、図１及び図２に示すように、略円筒状に形成され、架台６を介して横置きに設置されている。箱詰めされたクルマエビを搬出入する際に開閉するハッチ２は、図１において加圧タンク３の左側に備えられている。また、加圧タンク３の底部の長手方向及び短手方向略中央の位置に、その内周面に沿ってノズル７が設けられ、このノズル７に空気圧縮装置４と連通する配管８が接続されている。この加圧タンク３と空気圧縮装置４とをつなぐ配管８には、その途中に加湿装置５が配設されており、この加湿装置５と空気圧縮装置４との間の配管８には、その途中に空気圧縮装置４側からバルブ９、圧力設定ゲージ１０が取り付けられている。また、本実施の形態では、加圧タンク３と空気圧縮装置４との間に加湿装置５が配置されているが、加湿装置５を空気圧縮装置４の空気吸入口付近に設置してもよい。
また、加圧タンク３のハッチ２側とは反対側の壁部には、上から温度計１１、湿度形１２が取り付けられている。なお、これら温度計１１及び湿度計１２が取り付けられる位置は特に限定されず、加圧タンク３内の温度及び湿度のそれぞれの平均値が測定できる位置に適宜取り付けられる。また、加圧タンク３の上部の長手方向及び短手方向略中央の位置には、自動圧力調整弁１３が取り付けられ、この自動圧力調整弁１３のハッチ２側とは反対側に減圧弁１４が取り付けられている。さらに、加圧タンク３の一側壁には、内部が目視できるように窓１５が取り付けられている。
なお、本実施の形態では、加圧タンク３は横置きに設置されているが、縦置きに設置してもよい。
【００２１】
また、加圧タンク３内には、図１及び図２に示すように、加圧タンク３の底部の内周面に設けたノズル７と対向して離間する位置に、水平方向に延びる差圧板１６が配設されている。この差圧板１６には、微細な穴１７が所定の間隔をおいて複数形成されている。後述するがこの差圧板１６が、差圧板１６の上に置かれた箱詰めされたクルマエビに、均等に圧縮空気を送る空気循環手段の機能を果すことになる。また、空気循環手段の他の形態として、加圧タンク３の底部のノズル７と対向する位置に通気性を有する網（図示せず）等を配置すると共に、図２の１点鎖線で示す循環ファン１６’をこの網の下方で加圧タンク３の底部に沿って複数配置して、循環ファン１６’によって、網の上に置かれた箱詰めされたクルマエビにノズル７から噴射された圧縮空気を均等に送ることも可能である。
【００２２】
次に、本発明の実施の形態に係る活魚類や甲殻類等の加圧処理装置１を使用した活魚類や甲殻類等の加圧処理方法を、クルマエビの現在の流通形態に応じた箱詰めした場合を例として説明する。
まず、前述したように、水揚げされたクルマエビは数匹ずつ、箱本体２１の底板上に敷かれたネット２２上におが屑と共に入れられ蓋２３で閉塞される。
次に、加圧タンク３のハッチ２が開けられ、クルマエビを入れた箱２０が複数個加圧タンク３内に搬入されると共に、加圧タンク３内に設けた差圧板１６の上に重ねて並べられる。その際、複数の箱２０は、差圧板１６に設けた複数の穴１７の真上にくるようにして配置される。
その後、ハッチ２が閉められ、空気圧縮装置４及び加湿装置５を同時に作動させることにより、加湿された圧縮空気が加圧タンク３の底部に設けたノズル７から加圧タンク３内に噴射される。すると、加湿された圧縮空気は、差圧板１６に設けた複数の微細な穴１７を通過して、箱本体２１の底板に設けた複数の穴２４から箱２０内に流入して、クルマエビに酸素が均等に供給されると共に、圧縮空気は蓋２３の穴２４から箱２０の外に流れるようになる。この時、ノズル７から噴射される圧縮空気が、差圧板１６に設けた複数の微細な穴１７を通過して、クルマエビが置かれている空間３０に流入するので、差圧板１６を介して、ノズル７側の空間３１とクルマエビが置かれている空間３０との間に圧力差が生じると共に、圧縮空気がクルマエビが置かれている空間３０の全域に、均等に流れるようになっている。さらに、クルマエビが箱詰された箱２０の真下にのみ、差圧板１６の穴１７が配置されるようになっているので、穴１７から差圧板１６の上面に達した圧縮空気は、箱２０の周りをショートパスせず、効率よく穴２４から箱２０内に流入するようになる。
【００２３】
そして、加圧タンク３内が設定圧力以上になった場合には、自動圧力調整弁１３が働き設定圧力が所定時間維持される。また、加圧タンク３内の湿度は、加圧タンク３に取り付けられた湿度計１２により確認できるようになっている。一方、加圧処理中に魚介類の呼吸量に相当する酸素を供給するため、取り付けられた風量計２５で所要空気量を設定して空気の排出弁２６を自動的に開放して排出する。排出された空気は、空気圧縮装置４より新鮮な空気が供給される。
加圧処理が終了した後、減圧弁１４が開けられ脱気され、加圧タンク３内が大気圧に戻される。そして、ハッチ２が開けられ加圧処理したクルマエビの入った箱２０が取り出されて、低温貯蔵の状態で消費地まで輸送される。
【００２４】
また、本発明の加圧処理条件として、前述したようにクルマエビを加圧タンク３内に搬入し、加圧タンク３内の圧力を４．５気圧（絶対圧）、及び湿度を９０％に設定し、その処理時間を１．５時間として、加圧処理を行った。
その結果、加圧処理を行ったクルマエビは、水揚げ後約４０時間生存したの対して、未処理のクルマエビは、水揚げ後約３２時間後に死んでしまい、加圧処理したクルマエビは、未処理のクルマエビに比べ約８時間生存時間を延ばすことが確認できた。
【００２５】
一般的には、活魚類や甲殻類の種類に応じて、設定圧力は１気圧〜５気圧（絶対圧であれば２気圧〜６気圧）の間の所定値に設定され、加圧時間は３０分〜３時間の間の所定時間に設定されると共に、設定湿度は８０％〜１００％の間の所定値に設定されることが好ましい。
【００２６】
さらに、本発明の実施の形態に係る活魚類や甲殻類等の加圧処理装置１を輸送先の消費地に設置して、輸送されたクルマエビの入った箱を、加圧処理装置１に入れて再度加圧処理を行い、輸送中に疲労したクルマエビの活力を回復させることもできる。その結果、水揚げしてからおが屑箱２０に詰めた状態（温度１５℃、湿度７５％）で７２時間収容したクルマエビは、ＡＴＰ比（％）＝｛ＡＴＰ／（ＡＴＰ＋ＡＤＰ＋ＡＭＰ＋ＩＭＰ）｝×１００で７１％に低下した活力が、加圧処理により３２％も増加し９３％までに回復した。又、乳酸では最大で４１％減少して顕著な回復効果が見られた。
ここで、ＡＴＰ：アデノシン三リン酸、ＡＤＰ：アデノシン二リン酸、ＡＭＰ：アデニル酸、ＩＭＰ：イノシン酸をそれぞれ表している。
【００２７】
以上、本発明の実施の形態に係る活魚類や甲殻類等の加圧処理装置によれば、加圧処理装置１は、クルマエビを搬入して加圧するための加圧タンク３と、この加圧タンク３に連通し圧縮空気を加圧タンク３内に圧送する空気圧縮装置４と、加圧タンク３と空気圧縮装置４との間に介装され、空気圧縮装置４からの圧縮空気を加湿させる加湿装置５と、空気圧縮装置４と連通する配管８が接続されるノズル７に対向して水平方向に延びる差圧板１６とを備えているので、加圧タンク３内には、空気圧縮装置４から加湿装置５を経由して加湿された圧縮空気が圧送され、その加湿された圧縮空気は、差圧板１６に設けた微細な穴１７を通過して、クルマエビが置かれている空間３０全域に均等に流れ、空間３０内が所定の圧力及び湿度で加圧及び加湿された環境下となる。この環境を所定時間持続させることにより、クルマエビは、その体表が乾くことなく、体内に十分な酸素が供給されて生存時間が延び、鮮度を長時間保持させることができる。
【図面の簡単な説明】
【００２８】
【図１】図１は、本発明の実施の形態に係る活魚類及び甲殻類等の加圧処理装置の側面図である。
【図２】図２は、本発明の実施の形態に係る活魚類及び甲殻類等の加圧処理装置の正面図である。
【図３】図３は、甲殻類が詰められる箱を示す分解斜視図である。
【符号の説明】
【００２９】
１              加圧処理装置
３              加圧タンク
４              空気圧縮装置
５              加湿装置
１６            差圧板（空気循環手段）
１６’          循環ファン（空気循環手段）
２５            風量計
２６            空気排出弁（酸素補給手段）
【図１】
2005261340.tif 000003
【図２】
2005261340.tif 000004
【図３】
2005261340.tif 000005